(57)【特許請求の範囲】
【請求項１】
シールドマシンのカッターチャンバの隔壁に形成された開口と、
前記隔壁の後面に取着され、前記開口を通じて前記カッターチャンバに連通する閉塞空間を前記隔壁の後方に形成するハウジングと、
前記開口を開閉するシャッタと、
前記シャッタを駆動するシャッタ駆動手段と、
前記ハウジング内に収容された防水機能を有する撮像装置と、
前記隔壁の後方で前記開口を通じて前記隔壁を貫通する方向に延在し、前記ハウジングに水密に挿通されて先端部で前記撮像装置を支持する支持部材と、
前記支持部材をその延在方向に移動させる支持部材直動駆動手段と、
前記撮像装置と一体的に移動可能に設けられ、前記撮像装置の前方に向けて水を噴出させる第１の洗浄手段と、
前記撮像装置と一体的に移動可能に設けられ、前記撮像装置を洗浄するための水を噴出させる第２の洗浄手段と、
前記撮像装置と一体的に移動可能に設けられ、前記撮像装置の前方を照明する照明装置とを備え、
前記シャッタにより前記開口を開き、前記支持部材をその長手方向に移動させることで前記撮像装置、前記第１の洗浄手段、前記第２の洗浄手段および前記照明装置を前記開口からカッターチャンバに出し入れされる、
ことを特徴とする切羽監視装置。
【請求項２】
前記支持部材は、ハウジングに水密に挿通される摺動部と、前記撮像装置を支持する先端部と、前記先端部を前記摺動部に対して揺動可能に連結する連結部と、前記先端部を前記摺動部に対して揺動させる先端部揺動駆動手段とを含んで構成されている請求項１記載の切羽監視装置。
【請求項３】
前記支持部材の延在方向に平行な軸の回りに支持部材を回転させる支持部材回転駆動手段をさらに備えた請求項１記載の切羽監視装置。
【請求項４】
前記ハウジング内に水を噴出させる第３の洗浄手段をさらに備えた請求項１記載の切羽監視装置。
【請求項５】
前記シャッタ駆動手段は、前記カッターチャンバに臨む隔壁の面に取着されたエアーシリンダにより構成されている請求項１記載の切羽監視装置。
【発明の詳細な説明】
【０００１】
【発明の属する技術分野】
本発明は、トンネルの切羽やシールドマシンのカッター部あるいはカッターチャンバ内を遠隔で監視するための切羽監視装置に関するものである。
【０００２】
【従来の技術】
近年、トンネルの掘削工事はシールドマシンを用いた自動化技術により行われている。
シールドマシンにより自動掘進する場合には、切羽（掘削面）がまったく見えないため、特にシールドマシンに異常な負荷がかかった場合など、切羽の状態を知る必要があるときは、熟練工が経験と勘により推測し、どのような状態であるかを判断している。
【０００３】
また、シールドマシンの前面にカッター部が配置され、カッター部は、多数のビットがカッター板に取り付けられて構成されているが、ビットは掘削を継続することによってしだいに摩耗するため定期的に交換する必要がある。
しかし、このビットも見ることができないため、どの程度掘削を行って交換するかは、従来、熟練工が経験と勘により判断していた。
【０００４】
【発明が解決しようとする課題】
このように、シールドマシンによる自動掘進では、切羽を見ることができず、例えば流木や地中埋設物にぶつかり、シールドマシンに異常な負荷がかかった場合などには、状態の判断は熟練者の推測に依存するため、常に迅速かつ的確に対応することは困難であった。
そして、ビットを目視できず、ビットの摩耗の程度は熟練工の経験と勘により判定しているので、ビット交換の作業を常に適切なタイミングで行うことは困難であり、交換作業の実施が早すぎたり、あるいは遅すぎたりする場合が多々あった。
【０００５】
また、切羽の土質変化は、主に、掘削排土から推測されているので、例えば砂質土から粘土などへと土質が変化しても、そのような土質変化は掘削排土がチャンバの外に排出されてからでないと判定できず、従って、土質変化に直ちに対応することは困難であった。
【０００６】
さらに、切羽の状態や、ビットの状態を目で見て確認する場合には、カッターチャンバ内に溜まっている泥水や掘削土を一旦カッターチャンバ外に排出し、カッターチャンバ内に、人間が入れるだけの空間を確保することになる。
その際、切羽面が安定していないと、地山が崩壊したり、地下水が異常出水する場合があるので、このような危険を回避するため、切羽に薬注を行って切羽を安定させる必要がある。
従って掘削工事は長時間にわたって中断しなければならず、また上記作業に多大の費用がかかってしまう。
【０００７】
本発明はこのような事情のもとに成されたもので、その目的は、切羽やビットあるいはカッターチャンバ内の状態を容易に知ることができるようにする切羽監視装置を提供することにある。
【０００８】
【課題を解決するための手段】
本発明は上記目的を達成するため、シールドマシンのカッターチャンバの隔壁に形成された開口と、前記隔壁の後面に取着され、前記開口を通じて前記カッターチャンバに連通する閉塞空間を前記隔壁の後方に形成するハウジングと、前記開口を開閉するシャッタと、前記シャッタを駆動するシャッタ駆動手段と、前記ハウジング内に収容された防水機能を有する撮像装置と、前記隔壁の後方で前記開口を通じて前記隔壁を貫通する方向に延在し、前記ハウジングに水密に挿通されて先端部で前記撮像装置を支持する支持部材と、前記支持部材をその延在方向に移動させる支持部材直動駆動手段と、前記撮像装置と一体的に移動可能に設けられ、前記撮像装置の前方に向けて水を噴出させる第１の洗浄手段と、前記撮像装置と一体的に移動可能に設けられ、前記撮像装置を洗浄するための水を噴出させる第２の洗浄手段と、前記撮像装置と一体的に移動可能に設けられ、前記撮像装置の前方を照明する照明装置とを備え、前記シャッタにより前記開口を開き、前記支持部材をその長手方向に移動させることで前記撮像装置、前記第１の洗浄手段、前記第２の洗浄手段および前記照明装置を前記開口からカッターチャンバに出し入れされることを特徴とする。
【０００９】
また、本発明は、前記支持部材は、ハウジングに水密に挿通される摺動部と、前記撮像装置を支持する先端部と、前記先端部を前記摺動部に対して揺動可能に連結する連結部と、前記先端部を前記摺動部に対して揺動させる先端部揺動駆動手段とを含んで構成されていることを特徴とする。
また、本発明は、前記支持部材の延在方向に平行な軸の回りに支持部材を回転させる支持部材回転駆動手段をさらに備えたことを特徴とする。
また、本発明は、前記ハウジング内に水を噴出させる第３の洗浄手段をさらに備えたことを特徴とする。
また、本発明は、前記シャッタ駆動手段は、前記カッターチャンバに臨む隔壁の面に取着されたエアーシリンダにより構成されていることを特徴とする。
【００１０】
撮像装置によって切羽、ビット、あるいはカッターチャンバ内を撮像する場合には、まず、シャッタを開いて開口を開放状態とする。
次に、駆動手段により支持部材を移動させ、前記撮像装置、前記第１の洗浄手段、前記第２の洗浄手段および前記照明装置を開口を通じてカッターチャンバ内に挿入する。
そして、照明装置により撮像装置前方を照明する。
その結果、カッターチャンバ内を撮像することが可能となり、また、カッター部の土砂取り入れ溝を通じて切羽やビットを撮像することが可能となる。
この場合、支持部材の先端部を屈曲させたり、また支持部材を回転させることによって、切羽、ビット、あるいはカッターチャンバ内の全体を撮像することが可能となる。
【００１１】
【発明の実施の形態】
次に本発明の実施の形態例について説明する。
図９は本発明による切羽監視装置の一例を備えたシールドマシンを示す縦断面図である。
図中、２はトンネル、２０２はセグメントリング、４は切羽、６はシールドマシン、７はシールド、８はシールドの前端に設けられ多数のビットが装着されたカッター部、１０はカッター部８の後方に設けられた隔壁、１２はカッター部８と隔壁１０との間に形成された排土を溜めるためのカッターチャンバ、１４は地上の中央制御室、１６はコントロール装置をそれぞれ示している。
隔壁１０の所定箇所には開口が形成され、その部分に本発明の切羽監視装置１８が取り付けられている。
切羽監視装置１８とコントロール装置１６とは後述するケーブル１１０などを含むケーブル２０により接続されている。
【００１２】
図１は切羽監視装置１８を示す部分断面側面図である。
この切羽監視装置１８は、ハウジング２２、テレビカメラ２４、支持部材２６、支持部材２６の駆動装置２８などを含んで構成されている。
図２はハウジング２２周辺を拡大して示す部分断面側面図である。
この図を参照して、まずハウジング２２の部分について詳しく説明する。
隔壁１０の所定箇所には上述した開口３０が形成されている。
この開口３０は、本実施例では、一例として直径が２００ｍｍ程度の円形の開口となっている。
ハウジング２２のハウジング本体２２Ａは本実施例ではステンレスの円筒によって形成され、その直径は上記開口３０より若干小さく、隔壁１０側の前端部は開口２２Ｂを成して開放されている。
【００１３】
この開口２２Ｂの部分の外側にはリング部材３２が固着されており、ハウジング本体２２Ａはこのリング部材３２を介して隔壁１０の後面に取り付けられている。
すなわち、図３の正面図に示すように、リング部材３２の周辺部には、周方向に所定の間隔で複数の孔３２Ａが形成されており、これらの孔３２Ａにボルトを挿通し、隔壁１０に形成された対応する雌ネジに螺着することにより、リング部材３２、従ってハウジング２２が隔壁１０に取り付けられている。なお、ハウジング２２は、その中心軸が隔壁１０に対して垂直となるように取り付けられている。
【００１４】
図２に戻って、ハウジング２２のハウジング本体２２Ａの後端部は、後壁３４により閉塞されている。
後壁３４の中央には円形の開口を有する軸受部３４Ａが形成されており、この軸受部３４Ａには支持部材２６の摺動部２６Ａの外ケース２６Ａー１が挿通されている。
前記外ケース２６Ａー１は、断面円形のパイプ状の部材であり、軸受部３４Ａの上記開口の直径は外ケース２６Ａー１の外径よりわずかに大きくなっている。
従って、水密性及び必要な気密性を確保しつつ摺動部２６Ａは隔壁１０に直交する方向に摺動可能となっている。
後壁３４でこのような水密性が確保されている結果、ハウジング２２内に形成された空間は、シールドマシン６のカッターチャンバ１２にのみ連通し、隔壁１０の後方の空間に対しては遮断されている。
【００１５】
ハウジング２２の開口２２Ｂはシャッタ３６によって開閉可能となっている。
シャッタ３６は、図４に示すように、ほぼ円形であり、その上部に突出部３６Ａが形成され、その部分に形成された孔とその孔に挿通された軸３６Ｂとを介してリング部材３２に揺動可能に取り付けられている。
このシャッタ３６は隔壁１０の前面に軸３８０２を介して揺動可能に取着されたエアーシリンダ３８によって開閉駆動され、エアーシリンダ３８の力はリンク４０によりシャッタ３６に伝達される。
上記軸３６Ｂの直下にはもう１つの孔が形成され、この孔とこの孔に挿通された軸３６Ｃを介して、リンク４０の一端が揺動可能に連結されている。
そして、エアーシリンダ３８のピストンに連動する駆動軸３８Ａの先端部は、リンク４０の他端に、リンク４０の他端に形成された孔およびその孔に挿通された軸４０Ａを介して揺動可能に連結されている。
従って、エアーシリンダ３８に圧縮空気が供給され、駆動軸３８Ａが矢印Ａの方向に移動したとき、シャッタ３６は図の閉鎖位置から２点鎖線Ｂで示す開放位置に移動する。
なお、図２に示すように、リング部材３２の前面には環状のシール部材３２０２が取着され、シャッタ３６によりハウジングの内部が水密に閉塞されるように構成されている。エアーシリンダ３８およびリンク４０により本発明に係わるシャッタ駆動手段が構成されている。
【００１６】
図１に戻って、支持部材２６は、上述した摺動部２６Ａ、先端部２６Ｂ、ならびに連結部２６Ｃにより構成され、前記摺動部２６Ａ、先端部２６Ｂ、連結部２６Ｃは水密に連結され、摺動部２６Ａ、先端部２６Ｂ、連結部２６Ｃの内部には相互に接続する閉塞空間が内部に形成されている。
先端部２６Ｂはテレビカメラ２４を取り付けるための部分であり、連結部２６Ｃは先端部２６Ｂを、摺動部２６Ａに対して所定の角度範囲で揺動可能に連結している。
【００１７】
図２に詳しく示すように、先端部２６Ｂの先端には横断面円形の防水型のケース４２が取り付けられ、このケース４２内にテレビカメラ２４がホルダー等により取りつけられ収納されている。
先端部２６Ｂは断面が上下に長い中空の直方体状の外ケース２６Ｂー１を備え、その内部の前記閉塞空間はケース４２の内部空間に連通している。
【００１８】
連結部２６Ｃは、図５の断面平面図に示すような構造となっており、摺動部２６Ａの外ケース２６Ａー１の前端と、連結部２６Ｃの外ケース２６Ｃー１の後端は水密に連結されている。
先端部２６Ｂの外ケース２６Ｂー１の左右の側壁４４Ａ、４４Ｂの後部には、回転軸となる円筒部材４６Ａ、４６Ｂが中心軸を一致させてそれぞれ外側方向に突設されている。
一方、連結部２６Ｃの外ケース２６Ｃー１の前部には、前方及び上下に開放状の凹部４８Ｂを有する支持部材４８Ａが取着されている。
凹部４８Ｂの幅は、外ケース２６Ｂー１の側壁４４Ａ、４４Ｂ間の幅よりわずかに広く、外ケース２６Ｂー１の連結部２６Ｃ側の端部はこの凹部４８Ｂに緩挿されている。
支持部材４８Ａの側壁４４Ａ、４４Ｂ側で、凹部４８Ｂを構成する内壁５０Ａ、５０Ｂにはそれぞれ円形の孔５２Ａ、５２Ｂが中心を互いに一致させて形成されている。
これらの孔５２Ａ、５２Ｂの直径は、先端部２６Ｂの側壁４４Ａ、４４Ｂに突設された円筒部材４６Ａ、４６Ｂの外径より大きく、円筒部材４６Ａ、４６Ｂはそれぞれ孔５２Ａ、５２Ｂ内に挿通されている。
そして、円筒部材４６Ａ、４６Ｂの外周と孔５２Ａ、５２Ｂの内周との間にはそれぞれシール機能を備えたベアリング５４Ａ、５４Ｂが介在され、その結果、支持部材２６の先端部２６Ｂは摺動部２６Ａに対して上述のように揺動可能となっている。
【００１９】
円筒部材４６Ａの側壁４４Ａ側の端部にはプーリ５６が形成され、一方、プーリ５６に近接する摺動部２６Ａの所定箇所には、プーリ５６と軸が平行なプーリ５８が配置されている。
そして、これらのプーリ５６、５８はベルト６０により連結されている。
プーリ５８に近接する摺動部２６Ａの所定箇所には電動モータ６２が配設され、その回転軸６２Ａは、ギアボックス６４内の複数のギアを介してプーリ５８の軸に連結されている。
従って、モータ６２が回転すると、プーリ５８が回転し、その結果、ベルト６０を介してプーリ５６、すなわち円筒部材４６Ａが回転する。
そのため、先端部２６Ｂは摺動部２６Ａに対して揺動する。先端部２６Ｂの揺動の範囲は本実施例では、一例として±１００度となっている。電動モータ６２、ギアボックス６４、プーリ５８、ベルト６０、プーリ５６により本発明に係わる先端部揺動駆動手段が構成されている。
尚、前記凹部４８Ｂはこの±１００度の範囲で先端部２６Ｂが揺動できる大きさで形成され、この凹部４８Ｂに対応した形状で外ケース２６Ｃー１には溝が形成されているが、支持部材４８Ａが外ケース２６Ｃー１に取着されることで、外ケース２６Ｃー１、２６Ｂー１は水密に結合され、これらケース２６Ｃー１、２６Ｂー１の内部に互いに連通する閉塞空間が形成される。
【００２０】
次に、支持部材２６の駆動手段２８について説明する。
ハウジング２２の下方には、図１に示すように、隔壁１０に対して垂直の方向に延在する基台６６が配置されている。
基台６６は、隔壁１０側の端部を隔壁１０に固着することにより、隔壁１０に取り付けられている。
支持部材２６の、ハウジング２２の外に出ている部分の長さは、本実施例では一例として概ね１ｍであり、基台６６の長さは、隔壁１０と反対側の端部が、支持部材２６の端部を若干越える長さとなっている。
【００２１】
基台６６の上には、隔壁１０寄りの箇所に電動モータ６８が、その回転軸を隔壁１０に対し垂直にして配置されている。基台６６の上にはまた、ボールネジ７０が、隔壁１０と垂直に、従って支持部材２６と平行に配置され、ケース７２内に収められている。
ボールネジ７０の隔壁側の端部は、連結部７４において、所定の軸受により回転可能に支持され、かつモータ６８の回転軸に連結されている。
ボールネジ７０の他端は、基台６６の端部に設けられた軸受により回転可能に支持されている。
【００２２】
ケース７２の上部、すなわち摺動部２６Ａに対向する部分には、ボールネジ７０のほぼ全長に渡って不図示のスリットが形成されている。
摺動部２６Ａの、隔壁１０と反対側の端部には、後に説明する連結部７６が配設されており、この連結部７６は支持台７８上に載置され、支持台７８の下部は前記スリットに直線移動可能に結合されている。
さらに、支持台７８の下部にはブロック部８０が突設され、このブロック部８０の雌ねじに前記ボールネジ７０が螺合している。
よって、電動モータ６８が通電され、その回転軸が回転すると、ボールネジ７０が回転し、支持部材２６は矢印Ｃで示す方向に、実施例では隔壁１０と直交する方向に移動する。電動モータ６８、連結部７４、ボールネジ７０、ブロック部８０、支持台７８および連結部７６により本発明に係わる支持部材直動駆動手段が構成されている。
【００２３】
連結部７６には、図６の平面図に示すように、電動モータ８２が取り付けられており、その不図示の回転軸は連結部７６内に配置された不図示の複数のギアを介して摺動部２６Ａに連結されている。
従って、電動モータ８２が通電され、その回転軸が回転すると、摺動部２６Ａ、従って支持部材２６はその中心軸の回りに回転する。本実施例では、回転角の最大値は一例として、時計回りおよび反時計回りにそれぞれ１７０度となっている。電動モータ８２および連結部７６により支持部材回転駆動手段が構成されている。
【００２４】
次に、図７を参照してテレビカメラ２４の周辺について説明する。
テレビカメラ２４は上述のようにケース４２内に収容されており、このケース４２は円筒状の側壁４２Ａと、その前方および後方をそれぞれ閉塞する前壁８４および後壁８６により形成されている。
前壁８４および後壁８６はそれぞれボルト８８を、側壁４２Ａの端部４２Ｂ、４２Ｃに締め付けることにより側壁４２Ａに取り付けられ、ケース４２内部の水密性が確保されている。
【００２５】
テレビカメラ２４はこのケース４２内に、その前面部を前壁８４の内面に近接して配置されている。
前壁８４の中央部には円形の開口９０が形成され、この開口９０には耐圧ガラス９２が填め込まれている。
耐圧ガラス９２は、周辺部をリング部材９４で押さえ、リング部材９４をネジ９６で固定することにより、前壁８４に取り付けられている。テレビカメラ２４の不図示のレンズはこの耐圧ガラス９２に対向している。
【００２６】
前壁８４の開口９０の周囲には、周方向に一定の間隔でそれぞれ複数の孔９８、１００が形成されている。
図３の正面図に示すように、本実施例では、孔９８、１００はいずれも４箇所に形成されている。
孔９８は水をケース４２前方に噴出させるためのものであり、図７に示すように、孔９８の前端にはノズル９８０１が取着され、孔９８の後部には送水管１０２の先端部１０２Ａが連結されている。
一方、孔１００は照明のためのものであり、孔１００にはライトガイド１０６を介して光ファイバケーブル１０４の先端部が水密性を保持した状態で挿入され、孔１００内に光ファイバ１０４Ａが装着されている。
上記ノズル９８０１および送水管１０２により本発明に係わる第１の洗浄手段が構成されている。
また、孔１００、光ファイバケーブル１０４、ならびに光ファイバ１０４Ａにより本発明に係わる照明装置が構成されている。
【００２７】
なお、水を噴出させるためのノズル９８０１の中の１つには、図３および図８に示すように、その前方に近接して反射板９８Ａが配置されている。
この反射板９８Ａは、図８に示すように、耐圧ガラス９２と反対側の端部が前壁８４にネジで固着されており、耐圧ガラス９２に近づくにつれて前壁８４からの距離が大きくなるように傾斜している。
従って、ノズル９８０１から水が噴出すると、その水は反射板９８Ａに当たって、その噴出方向を耐圧ガラス９２の方向に変え、耐圧ガラス９２の前面に入射する。
そのため、耐圧ガラス９２の前面に泥などが付着している場合には、反射板９８Ａが配置されたノズル９８０１から水を噴出させることにより、泥などを排除することができる。上記ノズル９８０１、送水管１０２および反射板９８Ａにより本発明に係わる第２の洗浄手段が構成されている。
【００２８】
図７に示すように、後壁８６の中央部には開口８６Ａが形成され、この開口８６Ａに支持部材２６の先端部２６Ｂの内部空間が連通する形で、外ケース２６Ｂー１の先端が後壁８６に水密に固着されている。
そして、送水管１０２および光ファイバケーブル１０４は先端部２６Ｂの内部から上記開口８６Ａを通じてケース４２内に導かれている。
送水管１０２および光ファイバケーブル１０４は、摺動部２６Ａの連結部７６（図１）近傍から摺動部２６Ａの内部に導入され、連結部２６Ｃの内部を通してケース４２内に導かれている。
連結部２６Ｃでは、図５に示すように、先端部２６Ｂの円筒部材４６Ａ、４６Ｂの内側を通して先端部２６Ｂの内部に導かれている。
【００２９】
送水管１０２の他端は不図示のポンプに接続されており、コントロール装置１６の制御のもとで、所定の圧力に加圧された水が供給されるようになっている。
ただし、上記反射板９８Ａが装着された孔９８に接続する送水管１０２に対しては、他の孔９８とは別に加圧水を供給できるようになっている。
また、光ファイバケーブル１０４の他端は不図示の光源に接続され、コントロール装置１６の制御のもとで光ファイバ１０４Ａ内に光が導入されるようになっている。
【００３０】
また、ハウジング２２の後壁３４にも、図５に示すように、水をハウジング２２内に噴出させるための複数の孔３４Ｂが形成されている。
孔３４Ｂのハウジング２２外側の開口部は内側の開口部より径が大きく、その部分に雌ネジが形成されている。
この雌ネジに、送水管１０８の先端部１０８Ａに形成された雄ネジが螺着され、送水管１０８が固着されている。
送水管１０８の他端は上述したポンプに接続されている。上記孔３４Ｂおよび送水管１０８は本発明に係わる第３の洗浄手段を構成している。
【００３１】
テレビカメラ２４には、図７に示すように、テレビカメラ２４が撮像した画像の信号を送り、またテレビカメラ２４の制御信号をテレビカメラ２４に送るためのケーブル１１０が接続されている。
このケーブル１１０も送水管１０２や光ファイバケーブル１０４と同様の経路で敷設され、他端はコントロール装置１６に接続されている。
【００３２】
テレビカメラ２４による撮像を行わない場合には、図１に示したように、支持部材２６は隔壁１０から最も離れる方向に移動されており、テレビカメラ２４を収容したケース４２および支持部材２６の先端部２６Ｂと連結部２６Ｃとはハウジング２２内に収納されている。
そして、このときハウジング２２の開口２２Ｂはシャッタ３６により閉鎖されている。
従って、シールドマシン６の掘進時、開口２２Ｂからハウジング２２の内部に土砂等が侵入せず、テレビカメラ２４などが破損しないよう保護される。
【００３３】
次に、このように構成された切羽監視装置の動作について説明する。
テレビカメラ２４によって切羽４などを撮像しようと場合には、中央制御室１４内の作業者はまず、シールドマシン６の掘削動作を停止させ、そしてカッターチャンバ１２内に貯留している土砂などをカッターチャンバ１２の外に排出する。
その後、コントロール装置１６の制御のもとで、図４に示したエアーシリンダ３８を駆動し、シャッタ３６を軸３６Ｂを中心に、２点鎖線Ｂの位置まで揺動させ、ハウジング２２の前方の開口２２Ｂを開放する。
【００３４】
次に、この状態で、コントロール装置１６の制御のもとで、図１に示した電動モータ６８を所定方向に回転させ、ボールネジ７０を回転させる。
これにより支持部材２６は隔壁１０に接近する方向に移動する。
その結果、テレビカメラ２４を収容したケース４２はハウジング２２の外に押し出され、シールドマシン６のカッターチャンバ１２内に挿入される。
テレビカメラ２４がカッターチャンバ１２内に必要な距離だけ挿入されたなら、電動モータ６８の回転を停止させ、支持部材２６の移動を停止させる。
【００３５】
次に、コントロール装置１６の制御のもとで、上述したポンプを起動し、送水管１０２を通じて加圧水を送り、ケース４２の前壁８４に取着したノズル９８０１より水を噴出させる。
その結果、テレビカメラ２４によって撮像されるカッター部８の背面に付着した土砂や、カッター部８の土砂取入れ溝を通じて切羽４の箇所に付着した土砂などが洗い流される。
このような洗浄の後、コントロール装置１６の制御のもとで上記光源に通電して点灯させ、光ファイバケーブル１０４を通じて光を送る。
その結果、光ファイバ１０４Ａの先端から光が発せられ、テレビカメラ２４の前方が照明される。
【００３６】
このような状態でテレビカメラ２４は撮像を行い、撮像した画像の信号をケーブル１１０を通じてコントロール装置１６に送出する。
コントロール装置１６ではこの画像信号により、テレビカメラ２４が撮像した画像をモニタ１６Ａに表示する。
【００３７】
中央制御室１４の作業者はモニタ１６Ａに表示された画像を見ながら、必要な箇所を撮像するため、支持部材２６の先端部を揺動させたり、あるいは支持部材を回転させたりすることができる。
すなわち、作業者は、例えば切羽４やカッター部８のビットあるいはカッターチャンバ１２の下部を見ようとする場合、コントロール装置１６を操作して、図５に示した電動モータ６２を所定方向に回転させる。
これによりプーリ５８が回転し、その回転はベルト６０によってプーリ５６に伝達され、円筒部材４６Ａは、矢印Ｄの方向から見て、時計回りに回転する。
その結果、支持部材２６の先端部２６Ｂは下方に揺動し、テレビカメラ２４の撮像箇所は下方に移動する。
また、電動モータ６２を逆方向に回転させた場合には、先端部２６Ｂは上方に揺動し、テレビカメラ２４の撮影箇所は上方に移動する。
【００３８】
さらに、先端部２６Ｂを下方に揺動させた状態で、コントロール装置１６による制御のもとで、図６に示した電動モータ８２を回転させると、連結部７６のギアの作用によって摺動部２６Ａは回転し、従って、テレビカメラ２４も回転する。
この回転方向を後方から見て例えば時計回りとし、回転角を例えば９０度とすると、テレビカメラ２４は切羽４やカッター部８あるいはカッターチャンバ１２の左寄り箇所を撮像することになる。
逆に、反時計回りに例えば９０度回転させた場合には、テレビカメラ２４はカッター部８あるいはカッターチャンバ１２の右寄りの箇所を撮像する。
そして、回転角を変えることにより、斜め上や斜め下も無論撮像することができる。
【００３９】
また、このようにテレビカメラ２４による撮像箇所を変化させたとき、その箇所に例えば土砂や泥などが付着しており、切羽４やカッター部８などが直接見えない場合には、送水管１０２を通じて再度送水し、ノズル９８０１から水を勢い良く噴出させて土砂や泥を荒い流し、排除すればよい。
【００４０】
さらに、耐圧ガラス９２の前面に例えば泥などが付着し、撮像が行えないような場合には、上述した反射板９８Ａが配置されたノズル９８０１から水を噴出させ、耐圧ガラス９２の前面に水を吹き付けて泥などを排除すればよい。
切羽４などの撮像を終了し、テレビカメラ２４をハウジング２２内に再度、収容する場合には、まず電動モータ８２を回転させて、テレビカメラ２４が回転した状態を解消し、次に、電動モータ６２を回転させてテレビカメラ２４の揺動状態も解消する。
その後、電動モータ６８を回転させ、摺動部２６Ａを隔壁１０から遠ざかる方向に移動させ、テレビカメラ２４、従ってケース４２をハウジング２２内に収容する。
【００４１】
このとき、コントロール装置１６の制御のもとで上記ポンプを駆動し、送水管１０８に加圧水を送り込み、ハウジング２２の後壁３４に形成された孔３４Ｂを通じて水をハウジング２２内に噴出させる。
これにより、ケース４２や先端部２６Ｂ、あるいは連結部２６Ｃに土砂や泥などが付着していたとしても、それらは水によって吹き飛ばされ、土砂や泥がハウジング２２内に蓄積するといったことが防止される。
その後、エアーシリンダ３８によってシャッタ３６を駆動し、ハウジング２２の開口２２Ｂをシャッタ３６によって閉鎖する。
【００４２】
このように本実施例の切羽監視装置１８では、テレビカメラ２４を、隔壁１０に形成した開口３０を通じてシールドマシン６のカッターチャンバ１２内に必要な距離だけ挿入し、必要な角度だけ揺動させ、そして必要な角度だけ回転させることができる。
従って、切羽４、カッター部８、ならびにカッターチャンバ１２内の全体を、短時間の中に、容易に、かつ安全に撮像することができる。
作業者はその撮像結果を見て切羽およびシールドマシン各部の状態を把握することができる。
その結果、切羽の土質変化に対しても迅速に対応でき、また、流木や地中埋設物にぶつかり、シールドマシンに異常な負荷がかかったときでも、その原因を即座に特定して素早く対応できる。
そして、ビットの摩耗の程度はビットを直接目視して判断できるので、適切なタイミングでビット交換作業を行うことができる。
さらに、カッターチャンバ内に人が入る必要はないので、切羽に薬注を行わなくてもよく、従って、掘削工事を長時間にわたって中断する必要がない。また、人がチャンバ内に入らなくてもよいので安全である。
【００４３】
尚、実施例では支持部材２６の先端にケース４２を取着し、このケース４２内にテレビカメラ２４を収納した場合について説明したが、防水型のテレビカメラ等を用いることでケース４２を省くことも可能となる。
【００４４】
【発明の効果】
以上説明したように本発明の切羽監視装置では、撮像装置によって切羽、ビット、あるいはチャンバ内を撮像する場合には、まず、シャッタを開いてハウジングの開口を開放状態とする。
次に、支持部材直動駆動手段により支持部材を移動させ、支持部材に支持された撮像装置を開口を通じてチャンバ内に挿入する。
また、その際、照明装置により撮像装置前方を照明する。
その結果、カッターチャンバ内を撮像することが可能となり、また、カッター部の土砂取り入れ溝を通じて切羽やビットを撮像することが可能となる。
その際、所定の機構により、撮像装置が取り付けられた支持部材の先端部を屈曲させたり、また支持部材を回転させることによって、切羽、ビット、あるいはチャンバ内の全体を撮像することが可能となる。
【００４５】
このように本発明の切羽監視装置では、撮像装置を、隔壁に形成した開口を通じてシールドマシンのカッターチャンバ内に必要な距離だけ挿入することができる。
従って、撮像装置を必要な角度だけ揺動させ、また必要な角度だけ回転させることにより、切羽、ビット部、ならびにカッターチャンバ内の全体を、短時間の中に、容易に、かつ安全に撮像することができる。
作業者はその撮像結果を見て切羽およびシールドマシン各部の状態を把握することができる。
その結果、切羽の土質変化に対しても迅速に対応でき、また、流木や地中埋設物にぶつかり、シールドマシンに異常な負荷がかかったときでも、その原因を即座に特定して素早く対応できる。
そして、ビットの摩耗の程度はビットを直接目視して判断できるので、適切なタイミングでビット交換作業を行うことができる。
さらに、カッターチャンバ内に人が入る必要はないので、切羽に薬注を行わなくてもよく、従って、掘削工事を長時間にわたって中断する必要がない。
また、人がチャンバ内に入らなくてもよいので安全である。
【図面の簡単な説明】
【図１】本発明による切羽監視装置の一例を示す部分断面側面図である。
【図２】切羽監視装置の一部を拡大して示す部分断面側面図である。
【図３】切羽監視装置を構成するハウジング部を示す正面図である。
【図４】切羽監視装置を構成するハウジングの開口部を閉鎖するシャッタを示す正面図である。
【図５】切羽監視装置を構成する支持部材の連結部を詳しく示す平面図である。
【図６】切羽監視装置の全体を示す平面図である。
【図７】切羽監視装置を構成するテレビカメラ周辺を示す平面図である。
【図８】切羽監視装置を構成するテレビカメラ周辺に設けられ、テレビカメラ前面の耐圧ガラスを洗浄するための水噴出孔周辺を示す側面図である。
【図９】切羽監視装置を備えたシールドマシンを示す縦断面図である。
【符号の説明】
４  切羽
６  シールドマシン
８  カッター部
１０  隔壁
１２  カッターチャンバ
１４  中央制御室
１６  コントロール装置
１８  切羽監視装置
２２  ハウジング
２２Ｂ、３０、８６Ａ、９０  開口
２４  テレビカメラ
２６  支持部材
２６Ａ  摺動部
２６Ｂ  先端部
２６Ｃ  連結部
２８  駆動装置
３６  シャッタ
４２、７２  ケース
６２、６８、８２  電動モータ
７８  支持台
１０２、１０８  送水管
１０４  光ファイバケーブル
１０４Ａ  光ファイバ
【図１】
0003973242.tif 000002
【図２】
0003973242.tif 000003
【図３】
0003973242.tif 000004
【図４】
0003973242.tif 000005
【図５】
0003973242.tif 000006
【図６】
0003973242.tif 000007
【図７】
0003973242.tif 000008
【図８】
0003973242.tif 000009
【図９】
0003973242.tif 000010